(57)【特許請求の範囲】
【請求項１】
ホストＨとモニタＭの間をＤＶＩ伝送規格インタフェースを採用してビデオ信号は電／光変換回路および光／電変換回路を介してＤＶＩ光延長ケーブルの光ケーブルにより伝送すると共にＤＤＣクロックとＤＤＣデータはバッファ回路を介してＤＶＩ光延長ケーブルのメタルケーブルにより伝送し、また接続確認用信号をスルーのメタルケーブルを介して伝送するビデオ信号ディジタル伝送装置におけるＤＶＩ光延長ケーブル接続および外部電源入力確認システムにおいて、
上記電／光変換回路と送信側の上記バッファ回路を備え、上記ＤＶＩ光延長ケーブルの一方の端部と上記ホストＨとの間に介在された送信側付属回路および、上記光／電変換回路と受信側の上記バッファ回路を備え、上記ＤＶＩ光延長ケーブルの他方の端部と上記モニタＭとの間に介在された受信側付属回路を具備し、
上記ホストＨに（ＤＤＣ＋５Ｖ）信号を発生する（ＤＤＣ＋５Ｖ）信号源を具備し、
上記（ＤＤＣ＋５Ｖ）信号が入力されると、そのリターン信号としてＨＰＤ信号を発生するＨＰＤ信号源を上記モニタＭに具備し、
上記送信側付属回路および上記ＤＶＩ光延長ケーブルの送信側に接続されて上記送信側付属回路および上記受信側付属回路を駆動する外部電源を具備し、
上記（ＤＤＣ＋５Ｖ）信号源および外部電源に接続して上記（ＤＤＣ＋５Ｖ）信号と上記外部電源の電力とが共に入力されている状態を検出する第１検出部を具備し、
上記第１検出部が上記両入力状態を検出したことに応動して、上記ＤＶＩ光延長ケーブルのスルーの第１メタルケーブルを通じて上記（ＤＤＣ＋５Ｖ）信号源をＨＰＤ信号源に接続して上記（ＤＤＣ＋５Ｖ）信号を上記ＨＰＤ信号源に供給する（ＤＤＣ＋５Ｖ）信号送信部を具備し、
上記ＨＰＤ信号源に接続してこれから供給されるＨＰＤ信号を入力検出する受信側第２検出部を具備し、
上記受信側第２検出部に接続され、また上記外部電源に上記ＤＶＩ延長ケーブルを通じて接続され、上記ＨＰＤ信号の入力検出により上記受信側第２検出部の応動により作動せしめられて上記受信側付属回路へ上記外部電源から駆動電力を供給する受信側付属回路電力供給部を具備し、
上記ＨＰＤ信号源にスルーの第２メタルケーブルを通じて接続され、上記ＨＰＤ信号の入力を検出する送信側第２検出部を具備し、
上記送信側第２検出部および上記外部電源に接続され、上記ＨＰＤ信号の入力検出による上記送信側第２検出部の応動により作動せしめられて上記送信側付属回路へ上記外部電源から駆動電力を供給する送信側付属回路電力供給部を具備し、
上記送信側付属回路電力供給部に接続され、上記送信側付属回路電力供給部の動作を検出する第３検出部を具備し、
上記第３検出部に接続し、かつ上記ＤＶＩ光延長ケーブルのスルーの第２メタルケーブルを通じて上記ＨＰＤ信号源に接続し、上記第３検出部の動作検出に応動して上記ホストＨに上記ＨＰＤ信号を供給するＨＰＤ信号送信部を具備する、
ことを特徴とするＤＶＩ光延長ケーブル接続および外部電源入力確認システム。
【請求項２】
ホストＨとモニタＭの間をＤＶＩ伝送規格インタフェースを採用してビデオ信号は電／光変換回路および光／電変換回路を介してＤＶＩ光延長ケーブルの光ケーブルにより伝送すると共にＤＤＣクロックとＤＤＣデータはバッファ回路を介してＤＶＩ光延長ケーブルのメタルケーブルにより伝送し、また接続確認用信号をスルーのメタルケーブルを介して伝送するビデオ信号ディジタル伝送装置におけるＤＶＩ光延長ケーブル接続および外部電源入力確認システムにおいて、
上記電／光変換回路と送信側の上記バッファ回路を備え、上記ＤＶＩ光延長ケーブルの一方の端部と上記ホストＨとの間に介在された送信側付属回路および、上記光／電変換回路と受信側の上記バッファ回路を備え、上記ＤＶＩ光延長ケーブルの他方の端部と上記モニタＭとの間に介在された受信側付属回路を具備し、
上記ホストＨに（ＤＤＣ＋５Ｖ）信号を発生する（ＤＤＣ＋５Ｖ）信号源を具備し、
上記（ＤＤＣ＋５Ｖ）信号が入力されると、そのリターン信号としてＨＰＤ信号を発生するＨＰＤ信号源を上記モニタＭに具備し、
上記受信側付属回路および上記ＤＶＩ光延長ケーブルの受信側に接続されて上記送信側付属回路および上記受信側付属回路を駆動する外部電源を具備し、
上記ＤＶＩ光延長ケーブルのスルーの第１メタルケーブルを通じて上記（ＤＤＣ＋５Ｖ）信号源に接続し、また上記外部電源に接続して上記（ＤＤＣ＋５Ｖ）信号と上記外部電源の電力とが共に入力されている状態を検出する第１検出部を具備し、
上記第１検出部が上記両入力状態を検出したことに応動して、上記ＨＰＤ信号源に上記（ＤＤＣ＋５Ｖ）信号源を上記ＤＶＩ光延長ケーブルのスルーの第１メタルケーブルを通じて接続し、上記（ＤＤＣ＋５Ｖ）信号を上記ＨＰＤ信号源へ供給する（ＤＤＣ＋５Ｖ）信号送信部を具備し、
上記ＨＰＤ信号源に接続してこれから供給されるＨＰＤ信号を入力検出する受信側第２検出部を具備し、
上記受信側第２検出部および上記外部電源に接続され、上記ＨＰＤ信号の入力検出による受信側第２検出部の応動により作動せしめられて上記受信側付属回路へ上記外部電源から駆動電力を供給する受信側付属回路電力供給部を具備し、
上記光延長ケーブルのスルーの第２メタルケーブルを通じて、上記ＨＰＤ信号源に接続してこれから供給される上記ＨＰＤ信号を入力検出する送信側第２検出部を具備し、
上記送信側第２検出部に接続され、また上記ＤＶＩ光延長ケーブルを通じて上記外部電源に接続され、上記ＨＰＤ信号の入力検出による上記送信側第２検出部の応動により作動せしめられて上記送信側付属回路へ上記外部電源から駆動電力を供給する送信側付属回路電力供給部を具備し、
上記送信側付属回路電力供給部に接続され、上記送信側付属回路電力供給部の動作を検出する第３検出部を具備し、
上記第３検出部に接続し、また上記ＤＶＩ光延長ケーブルのスルーの第２メタルケーブルを通じて、上記ＨＰＤ信号源に接続し、上記第３検出部の動作検出に応動して上記ホストＨに上記ＨＰＤ信号を供給するＨＰＤ信号送信部を具備する、
ことを特徴とするＤＶＩ光延長ケーブル接続および外部電源入力確認システム。
【請求項３】
ホストＨとモニタＭの間をＤＶＩ伝送規格インタフェースを採用してビデオ信号は電／光変換回路および光／電変換回路を介してＤＶＩ光延長ケーブルの光ケーブルにより伝送すると共にＤＤＣクロックとＤＤＣデータはバッファ回路を介してＤＶＩ光延長ケーブルのメタルケーブルにより伝送し、また接続確認用信号をスルーのメタルケーブルを介して伝送するビデオ信号ディジタル伝送装置におけるＤＶＩ光延長ケーブル接続および外部電源入力確認システムにおいて、
上記電／光変換回路と送信側の上記バッファ回路を備え、上記ＤＶＩ光延長ケーブルの一方の端部と上記ホストＨとの間に介在された送信側付属回路および、上記光／電変換回路と受信側の上記バッファ回路を備え、上記ＤＶＩ光延長ケーブルの他方の端部と上記モニタＭとの間に介在された受信側付属回路を具備し、
上記ホストＨに（ＤＤＣ＋５Ｖ）信号を発生する（ＤＤＣ＋５Ｖ）信号源を具備し、
上記ＤＶＩ光延長ケーブルのスルーの第２メタルケーブルに接続され、上記（ＤＤＣ＋５Ｖ）信号が入力されると、そのリターン信号としてＨＰＤ信号を発生して上記スルーの第２メタルケーブルへ供給するＨＰＤ信号源を上記モニタＭに具備し、
上記送信側付属回路に接続されて送信側付属回路を駆動する送信側外部電源を具備し、
上記受信側付属回路に接続されて受信側付属回路を駆動する受信側外部電源を具備し、
上記（ＤＤＣ＋５Ｖ）信号源および上記送信側外部電源に接続して上記（ＤＤＣ＋５Ｖ）信号と上記送信側外部電源の電力とが共に入力されている状態を検出する送信側第１検出部を具備し、
上記（ＤＤＣ＋５Ｖ）信号源、上記ＤＶＩ光延長ケーブルのスルーの第１メタルケーブルおよび上記送信側第１検出部に接続され、上記送信側第１検出部が上記両入力状態を検出したことに応動して、上記スルーの第１メタルケーブルに上記（ＤＤＣ＋５Ｖ）信号を供給する送信側（ＤＤＣ＋５Ｖ）信号送信部を具備し、
上記スルーの第１メタルケーブルおよび上記受信側外部電源に接続して、上記（ＤＤＣ＋５Ｖ）信号と上記受信側外部電源の電力とが共に入力されている状態を検出する受信側第１検出部を具備し、
上記スルーの第１メタルケーブル、上記ＨＰＤ信号源、および上記受信側第１検出部に接続され、上記受信側第１検出部が上記両入力状態を検出したことに応動して、上記（ＤＤＣ＋５Ｖ）信号を上記ＨＰＤ信号源に供給する受信側（ＤＤＣ＋５Ｖ）信号送信部を具備し、
上記ＨＰＤ信号源に接続してこれから供給される上記ＨＰＤ信号を入力検出する受信側第２検出部を具備し、
上記受信側第２検出部および上記受信側外部電源に接続され、上記ＨＰＤ信号の入力検出による上記受信側第２検出部の応動により作動せしめられて上記受信側付属回路へ上記受信側外部電源から駆動電力を供給する受信側付属回路電力供給部を具備し、
上記ＤＶＩ光延長ケーブルのスルーの第２メタルケーブルを通じて上記ＨＰＤ信号源に接続してこれから供給される上記ＨＰＤ信号を入力検出する送信側第２検出部を具備し、
上記送信側外部電源および上記送信側第２検出部に接続され、上記ＨＰＤ信号の入力検出による上記送信側第２検出部の応動により作動せしめられて上記送信側付属回路へ上記送信側外部電源から駆動電力を供給する送信側付属回路電力供給部を具備し、
上記送信側付属回路電力供給部に接続され、上記送信側付属回路電力供給部の動作を検出する第３検出部を具備し、
上記スルーの第２メタルケーブルを通じて上記ＨＰＤ信号源に接続し、かつ上記第３検出部に接続し、上記第３検出部の動作検出に応動して上記ホストＨに上記ＨＰＤ信号を供給するＨＰＤ信号送信部を具備する、
ことを特徴とするＤＶＩ光延長ケーブル接続および外部電源入力確認システム。
【発明の詳細な説明】
【０００１】
【発明の属する技術分野】
この発明は、ＤＶＩ光延長ケーブル接続および外部電源入力確認装置に関し、特に、ビデオ信号ディジタル伝送装置においてホストとモニタの間がＤＶＩ光延長ケーブルを介して正常に接続されているか否か、および送信側付属回路および受信側付属回路に対する外部電源入力がなされているか否かを確認するＤＶＩ光延長ケーブル接続および外部電源入力確認システムに関する。
【０００２】
【従来の技術】
従来例を図１０およびＤＶＩ光延長ケーブルによるホストとモニタ間の物理的接続を示す図１１を参照して説明する。
ホストＨとモニタＭの間をＤＶＩ伝送規格インタフェースを採用してメタルケーブルでディジタルのビデオ信号の伝送をスタートするに際して、（ＤＤＣ＋５Ｖ）信号およびＨＰＤ信号を使用し、スルーのメタルケーブルを介してホストＨとモニタＭ間の接続を確認した後、ビデオ伝送に向けたシーケンスをスタートさせている。即ち、ホストＨの（ＤＤＣ＋５Ｖ）信号源１１がオンし、（ＤＤＣ＋５Ｖ）信号１２が出力し、これがモニタＭの（ＤＤＣ＋５Ｖ）信号判定部２３に送信される。（ＤＤＣ＋５Ｖ）信号判定部２３において（ＤＤＣ＋５Ｖ）信号１２の入力がｙｅｓの場合、ＨＰＤ信号２２が出力される。ＨＰＤ信号２２がモニタＭからホストＨに伝送され、ＨＰＤ信号判定部１３においてＨＰＤ信号２２がｙｅｓの場合、ビデオ伝送に向けたシーケンス１４をスタートさせる。
【０００３】
なお、ＤＶＩはＤｉｇｉｔａｌ  Ｖｉｓｕａｌ  Ｉｎｔｅｒｆａｃｅの略であり、コンピュータ業界の会社による規格制定組織により定義された規格である。
ＤＤＣはＤｉｓｐｌａｙ  Ｄａｔａ  Ｃｈａｎｎｅｌの略であり、コンピュータおよびビデオに関する規格を決める団体により制定された規格である。ＤＤＣデータ、ＤＤＣクロック、（ＤＤＣ＋５Ｖ）信号により、組み立てすれば調整、設定はコンピュータが実行するというサポートするに使用される。
ＨＰＤはＨｏｔ  Ｐｌｕｇ  Ｄｅｔｅｃｔの略であり、コンピュータ業界の会社による規格制定組織により定義された規格である。コンピュータ、モニタの電源を切らずに線を抜き差しすることをサポートするに使用される。
ＤＤＣ＋５Ｖ信号は、ホスト側の電源投入後、ホスト側から出力されるＤＣ（直流）＋５Ｖの電圧のことである。メタルケーブルによりホスト−モニタ間に直接接続している。
ＨＰＤ信号と、ホスト側からのＤＤＣ＋５Ｖ信号をモニタ側で検知した後、ホスト側からの折り返しの信号（直流）のことである。メタルケーブルによりホスト−モニタ間に直接接続している。
ＤＤＣデータは、接続直後にホスト−モニタ間で交換する解像度その他の情報（データ）のことである。モニタ側からのＨＰＤ折り返し信号を確認後、データの交換を行う。ホスト或いはモニタからのデータ信号をバッファ回路で増幅してＤＶＩ光延長ケーブル内のメタルケーブルによりホスト側からモニタ側に或いはモニタ側からホスト側に伝送する。
ＤＤＣクロックは、ＤＤＣデータに同期したクロックであり、１ＭＨｚの信号のことである。ＤＤＣデータと同様に、ホスト或いはモニタからのクロック信号をバッファ回路で増幅してＤＶＩ光延長ケーブル内のメタルケーブルによりホスト側からモニタ側に或いはモニタ側からホスト側に伝送する。
ところで、この明細書において、高速信号とは、画像データ（ビデオ信号）、ＴＭＤＳデータ、ＴＭＤＳクロック、の総称である。低速信号とは外部電源、ＤＤＣ＋５Ｖ信号、ＨＰＤ信号、ＤＤＣデータ、ＤＤＣクロック、の総称であり、これらはメタルケーブルにより接続される。
【０００４】
【発明が解決しようとする課題】
図１１を参照するに、１はホストインタフェース、２はモニタインタフェースを示す。このホストインタフェース１とモニタインタフェース２の間に、ＤＶＩ光延長ケーブルを介して高速信号であるＴ.Ｍ.Ｄ.Ｓ.ビデオ信号が伝送され、低速信号であるＤＤＣクロックとＤＤＣデータが伝送され、直流信号である（ＤＤＣ＋５Ｖ）信号とＨＰＤ信号が伝送される。
【０００５】
なお、Ｔ.Ｍ.Ｄ.Ｓ.はＴｒａｎｓｉｔｉｏｎ  Ｍｉｎｉｍｉｚｅｄ  Ｄｉｆｆｅｒｅｎｔｉａｌ  Ｓｉｇｎａｌｉｎｇの略であり、ｓｉｌｉｃｏｎ  ｉｍａｇｅ社が開発した差動信号伝送形式である。３チャンネルで１リンクを形成する。Ｔ.Ｍ.Ｄ.Ｓ.ビデオ信号とは画像データ（ビデオ信号）の赤、或いは緑、或いは青のデータのことであり、３００Ｍｂｐｓ〜１６５０Ｍｂｐｓの容量を伝送する。モニタの解像度によりデータ容量は変化する。ホスト側から出力される電気信号を電気／光変換回路により光信号に変換し、光ファイバを用いて伝送する。また、モニタ側においては、光信号は光／電気変換回路により元の電気信号に復調され、モニタに出力される。
ところで、ＤＶＩ伝送規格インタフェースを採用するビデオ信号ディジタル伝送装置の間の伝送距離の延長をメタルケーブルと光ケーブルの複合ケーブルより成るＤＶＩ光延長ケーブル４により実施し、高速信号であるＴ.Ｍ.Ｄ.Ｓ.ビデオ信号は電／光変換回路１５
および光／電変換回路２５を介してＤＶＩ光延長ケーブル４の光ファイバーケーブルにより伝送する。即ち、光／電変換回路２５は、ホスト側から光信号により長距離伝送されてきた光信号を電気信号に変換する回路である。電／光変換回路１５は、高速信号の長距離伝送を行うに際して、光信号を用いて伝送を行う。この時に高速信号を電気信号から光信号へ変換する回路である。
ここで、送信側付属回路は、ホスト側からの高速信号（画像データ（ビデオ信号）、ＴＭＤＳデータ／ＴＭＤＳクロック）を受信し、電気／光変換素子を駆動する回路である。高速信号を電気信号により長距離伝送するとその劣化は著しく大きく、長距離を伝送することは不可能である。長距離を伝送するに比較的劣化の少ない光信号に変換して伝送を行う。受信側付属回路は、ホスト側で電気／光変換されて光信号として長距離を伝送されてきた信号を光／電気変換素子により受信し、光／電気変換素子からの信号をＤＶＩの規格に準拠した信号レベルに変換し、モニタ側に電気信号として出力する回路である。低速信号であるＤＤＣクロックとＤＤＣデータはバッファ回路１６を介してＤＶＩ光延長ケーブル４のメタルケーブルにより伝送する。直流信号である（ＤＤＣ＋５Ｖ）信号とＨＰＤ信号は、ＤＶＩ光延長ケーブル４のメタルケーブルにより伝送する。この場合、ＤＶＩ光延長ケーブル４のホストＨ側とモニタＭ側に付属接続している先の電／光変換回路１５、光／電変換回路２５およびバッファ回路１６、２６、その他の回路を含む、送信側付属回路および受信側付属回路を駆動する外部電源が当然に必要となる。
【０００６】
図１２は他の従来例を説明する図である。３１は外部電源入力判定部であり、外部電源入力がｙｅｓの場合、送信側付属回路および受信側付属回路に対する電源入力３２が実行され、送信側付属回路および受信側付属回路を構成する電／光変換回路１５、光／電変換回路２５およびバッファ回路１６、２６、その他の回路を含む送信側付属回路および受信側付属回路はこの外部電源３により駆動される構成とされている。しかし、送信側付属回路および受信側付属回路を構成する電／光変換回路１５、光／電変換回路２５およびバッファ回路１６、２６が駆動された状態とされても、ホストＨとモニタＭとの間がＤＶＩ光延長ケーブル４を介して必ず正常に接続されているとは限らない。この場合、ビデオ伝送がなされていないにも関わらず、送信側付属回路および受信側付属回路は外部電源３により駆動されて電力を無駄に消費する結果となる。逆に、ＤＶＩ光延長ケーブル４がホストＨとモニタＭとの間を接続していれば、送信側付属回路および受信側付属回路に外部電源３の電力入力が未だなされていない状態においても、（ＤＤＣ＋５Ｖ）信号、ＨＰＤ信号の接続が確立されることとなり、送信側付属回路および受信側付属回路が動作していないにも関わらず、ビデオ伝送に向けたシーケンスがスタートする問題が生ずる。
【０００７】
この発明は、ホストＨとモニタＭの間の不適切接続状態および送信側付属回路および受信側付属回路に対する外部電源の未入力状態を確認して、送信側付属回路および受信側付属回路に対する外部電源の無用な入力を停止し、ビデオ伝送に向けた無用なシーケンスを停止するＤＶＩ光延長ケーブル接続および外部電源入力確認システムを提供するものである。
【０００８】
【課題を解決するための手段】
請求項１の発明は、ホストＨとモニタＭの間をＤＶＩ伝送規格インタフェースを採用してビデオ信号は電／光変換回路および光／電変換回路を介してＤＶＩ光延長ケーブルの光ケーブルにより伝送すると共にＤＤＣクロックとＤＤＣデータはバッファ回路を介してＤＶＩ光延長ケーブルのメタルケーブルにより伝送し、また接続確認用信号をスルーのメタルケーブルを介して伝送するビデオ信号ディジタル伝送装置におけるＤＶＩ光延長ケーブル接続および外部電源入力確認システムにおいて、
上記電／光変換回路と送信側の上記バッファ回路を備え、上記ＤＶＩ光延長ケーブルの一方の端部と上記ホストＨとの間に介在された送信側付属回路および、上記光／電変換回路と受信側の上記バッファ回路を備え、上記ＤＶＩ光延長ケーブルの他方の端部と上記モニタＭとの間に介在された受信側付属回路を具備し、
上記ホストＨに（ＤＤＣ＋５Ｖ）信号を発生する（ＤＤＣ＋５Ｖ）信号源を具備し、
上記（ＤＤＣ＋５Ｖ）信号が入力されると、そのリターン信号としてＨＰＤ信号を発生するＨＰＤ信号源を上記モニタＭに具備し、
上記送信側付属回路および上記ＤＶＩ光延長ケーブルの送信側に接続されて上記送信側付属回路および上記受信側付属回路を駆動する外部電源を具備し、
上記（ＤＤＣ＋５Ｖ）信号源および外部電源に接続して上記（ＤＤＣ＋５Ｖ）信号と上記外部電源の電力とが共に入力されている状態を検出する第１検出部を具備し、
上記第１検出部が上記両入力状態を検出したことに応動して、上記ＤＶＩ光延長ケーブルのスルーの第１メタルケーブルを通じて上記（ＤＤＣ＋５Ｖ）信号源をＨＰＤ信号源に接続して上記（ＤＤＣ＋５Ｖ）信号を上記ＨＰＤ信号源に供給する（ＤＤＣ＋５Ｖ）信号送信部を具備し、
上記ＨＰＤ信号源に接続してこれから供給されるＨＰＤ信号を入力検出する受信側第２検出部を具備し、
上記受信側第２検出部に接続され、また上記外部電源に上記ＤＶＩ延長ケーブルを通じて接続され、上記ＨＰＤ信号の入力検出により上記受信側第２検出部の応動により作動せしめられて上記受信側付属回路へ上記外部電源から駆動電力を供給する受信側付属回路電力供給部を具備し、
上記ＨＰＤ信号源にスルーの第２メタルケーブルを通じて接続され、上記ＨＰＤ信号の入力を検出する送信側第２検出部を具備し、
上記送信側第２検出部および上記外部電源に接続され、上記ＨＰＤ信号の入力検出による上記送信側第２検出部の応動により作動せしめられて上記送信側付属回路へ上記外部電源から駆動電力を供給する送信側付属回路電力供給部を具備し、
上記送信側付属回路電力供給部に接続され、上記送信側付属回路電力供給部の動作を検出する第３検出部を具備し、
上記第３検出部に接続し、かつ上記ＤＶＩ光延長ケーブルのスルーの第２メタルケーブルを通じて上記ＨＰＤ信号源に接続し、上記第３検出部の動作検出に応動して上記ホストＨに上記ＨＰＤ信号を供給するＨＰＤ信号送信部を具備することを特徴とする。
【０００９】
請求項２の発明は、ホストＨとモニタＭの間をＤＶＩ伝送規格インタフェースを採用してビデオ信号は電／光変換回路および光／電変換回路を介してＤＶＩ光延長ケーブルの光ケーブルにより伝送すると共にＤＤＣクロックとＤＤＣデータはバッファ回路を介してＤＶＩ光延長ケーブルのメタルケーブルにより伝送し、また接続確認用信号をスルーのメタルケーブルを介して伝送するビデオ信号ディジタル伝送装置におけるＤＶＩ光延長ケーブル接続および外部電源入力確認システムにおいて、
上記電／光変換回路と送信側の上記バッファ回路を備え、上記ＤＶＩ光延長ケーブルの一方の端部と上記ホストＨとの間に介在された送信側付属回路および、上記光／電変換回路と受信側の上記バッファ回路を備え、上記ＤＶＩ光延長ケーブルの他方の端部と上記モニタＭとの間に介在された受信側付属回路を具備し、
上記ホストＨに（ＤＤＣ＋５Ｖ）信号を発生する（ＤＤＣ＋５Ｖ）信号源を具備し、
上記（ＤＤＣ＋５Ｖ）信号が入力されると、そのリターン信号としてＨＰＤ信号を発生するＨＰＤ信号源を上記モニタＭに具備し、
上記受信側付属回路および上記ＤＶＩ光延長ケーブルの受信側に接続されて上記送信側付属回路および上記受信側付属回路を駆動する外部電源を具備し、
上記ＤＶＩ光延長ケーブルのスルーの第１メタルケーブルを通じて上記（ＤＤＣ＋５Ｖ）信号源に接続し、また上記外部電源に接続して上記（ＤＤＣ＋５Ｖ）信号と上記外部電源の電力とが共に入力されている状態を検出する第１検出部を具備し、
上記第１検出部が上記両入力状態を検出したことに応動して、上記ＨＰＤ信号源に上記（ＤＤＣ＋５Ｖ）信号源を上記ＤＶＩ光延長ケーブルのスルーの第１メタルケーブルを通じて接続し、上記（ＤＤＣ＋５Ｖ）信号を上記ＨＰＤ信号源へ供給する（ＤＤＣ＋５Ｖ）信号送信部を具備し、
上記ＨＰＤ信号源に接続してこれから供給されるＨＰＤ信号を入力検出する受信側第２検出部を具備し、
上記受信側第２検出部および上記外部電源に接続され、上記ＨＰＤ信号の入力検出による受信側第２検出部の応動により作動せしめられて上記受信側付属回路へ上記外部電源から駆動電力を供給する受信側付属回路電力供給部を具備し、
上記光延長ケーブルのスルーの第２メタルケーブルを通じて、上記ＨＰＤ信号源に接続してこれから供給される上記ＨＰＤ信号を入力検出する送信側第２検出部を具備し、
上記送信側第２検出部に接続され、また上記ＤＶＩ光延長ケーブルを通じて上記外部電源に接続され、上記ＨＰＤ信号の入力検出による上記送信側第２検出部の応動により作動せしめられて上記送信側付属回路へ上記外部電源から駆動電力を供給する送信側付属回路電力供給部を具備し、
上記送信側付属回路電力供給部に接続され、上記送信側付属回路電力供給部の動作を検出する第３検出部を具備し、
上記第３検出部に接続し、また上記ＤＶＩ光延長ケーブルのスルーの第２メタルケーブルを通じて、上記ＨＰＤ信号源に接続し、上記第３検出部の動作検出に応動して上記ホストＨに上記ＨＰＤ信号を供給するＨＰＤ信号送信部を具備することを特徴とする。
また請求項３の発明は、ホストＨとモニタＭの間をＤＶＩ伝送規格インタフェースを採用してビデオ信号は電／光変換回路および光／電変換回路を介してＤＶＩ光延長ケーブルの光ケーブルにより伝送すると共にＤＤＣクロックとＤＤＣデータはバッファ回路を介してＤＶＩ光延長ケーブルのメタルケーブルにより伝送し、また接続確認用信号をスルーのメタルケーブルを介して伝送するビデオ信号ディジタル伝送装置におけるＤＶＩ光延長ケーブル接続および外部電源入力確認システムにおいて、
上記電／光変換回路と送信側の上記バッファ回路を備え、上記ＤＶＩ光延長ケーブルの一方の端部と上記ホストＨとの間に介在された送信側付属回路および、上記光／電変換回路と受信側の上記バッファ回路を備え、上記ＤＶＩ光延長ケーブルの他方の端部と上記モニタＭとの間に介在された受信側付属回路を具備し、
上記ホストＨに（ＤＤＣ＋５Ｖ）信号を発生する（ＤＤＣ＋５Ｖ）信号源を具備し、
上記ＤＶＩ光延長ケーブルのスルーの第２メタルケーブルに接続され、上記（ＤＤＣ＋５Ｖ）信号が入力されると、そのリターン信号としてＨＰＤ信号を発生して上記スルーの第２メタルケーブルへ供給するＨＰＤ信号源を上記モニタＭに具備し、
上記送信側付属回路に接続されて送信側付属回路を駆動する送信側外部電源を具備し、
上記受信側付属回路に接続されて受信側付属回路を駆動する受信側外部電源を具備し、
上記（ＤＤＣ＋５Ｖ）信号源および上記送信側外部電源に接続して上記（ＤＤＣ＋５Ｖ）信号と上記送信側外部電源の電力とが共に入力されている状態を検出する送信側第１検出部を具備し、
上記（ＤＤＣ＋５Ｖ）信号源、上記ＤＶＩ光延長ケーブルのスルーの第１メタルケーブルおよび上記送信側第１検出部に接続され、上記送信側第１検出部が上記両入力状態を検出したことに応動して、上記スルーの第１メタルケーブルに上記（ＤＤＣ＋５Ｖ）信号を供給する送信側（ＤＤＣ＋５Ｖ）信号送信部を具備し、
上記スルーの第１メタルケーブルおよび上記受信側外部電源に接続して、上記（ＤＤＣ＋５Ｖ）信号と上記受信側外部電源の電力とが共に入力されている状態を検出する受信側第１検出部を具備し、
上記スルーの第１メタルケーブル、上記ＨＰＤ信号源、および上記受信側第１検出部に接続され、上記受信側第１検出部が上記両入力状態を検出したことに応動して、上記（ＤＤＣ＋５Ｖ）信号を上記ＨＰＤ信号源に供給する受信側（ＤＤＣ＋５Ｖ）信号送信部を具備し、
上記ＨＰＤ信号源に接続してこれから供給される上記ＨＰＤ信号を入力検出する受信側第２検出部を具備し、
上記受信側第２検出部および上記受信側外部電源に接続され、上記ＨＰＤ信号の入力検出による上記受信側第２検出部の応動により作動せしめられて上記受信側付属回路へ上記受信側外部電源から駆動電力を供給する受信側付属回路電力供給部を具備し、
上記ＤＶＩ光延長ケーブルのスルーの第２メタルケーブルを通じて上記ＨＰＤ信号源に接続してこれから供給される上記ＨＰＤ信号を入力検出する送信側第２検出部を具備し、
上記送信側外部電源および上記送信側第２検出部に接続され、上記ＨＰＤ信号の入力検出による上記送信側第２検出部の応動により作動せしめられて上記送信側付属回路へ上記送信側外部電源から駆動電力を供給する送信側付属回路電力供給部を具備し、
上記送信側付属回路電力供給部に接続され、上記送信側付属回路電力供給部の動作を検出する第３検出部を具備し、
上記スルーの第２メタルケーブルを通じて上記ＨＰＤ信号源に接続し、かつ上記第３検出部に接続し、上記第３検出部の動作検出に応動して上記ホストＨに上記ＨＰＤ信号を供給するＨＰＤ信号送信部を具備することを特徴とする。
【００１０】
【発明の実施の形態】
この発明の実施の形態を図１の実施例を参照して説明する。
図１において、ホストＨとモニタＭの間のビデオ信号ディジタル伝送はメタルケーブルと光ケーブルの複合ケーブルより成るＤＶＩ光延長ケーブル４を介してＤＶＩ伝送規格インタフェースを採用して実行される。即ち、図１には図示されてはいないが、先に図１１を参照して説明した通り、ＤＶＩ光延長ケーブル４のホストＨ側には電気コネクタおよび光コネクタを介して送信側付属回路が接続すると共に、ＤＶＩ光延長ケーブル４のモニタＭ側には電気コネクタおよび光コネクタを介して受信側付属回路が接続している。３は外部電源である。１１はホストＨに含まれる（ＤＤＣ＋５Ｖ）信号源である。２２’はモニタＭに含まれるＨＰＤ信号源である。３１’は送信側付属回路に含まれる第１検出部であり、（ＤＤＣ＋５Ｖ）信号および外部電源３から供給される外部電力の入力を判定する。３３’は切り替えスイッチを有する（ＤＤＣ＋５Ｖ）信号送信部である。（ＤＤＣ＋５Ｖ）信号源１１およびＨＰＤ信号源２２’は、（ＤＤＣ＋５Ｖ）信号送信部の切り替えスイッチに接続して断続せしめられる。（ＤＤＣ＋５Ｖ）信号＊外部電力を判定する第１検出部３１’は、（ＤＤＣ＋５Ｖ）信号と外部電力の両入力がなされたことに対応して（ＤＤＣ＋５Ｖ）信号送信部３３’を作動せしめ、（ＤＤＣ＋５Ｖ）信号源１１から出力される（ＤＤＣ＋５Ｖ）信号をＨＰＤ信号源２２’に供給せしめる経路を形成する。ここで、ＨＰＤ信号源２２’はホストＨから出力される（ＤＤＣ＋５Ｖ）信号のリターン信号としてＨＰＤ信号を発生する信号源である。３５’は第２検出部である。３６’は送信側付属回路とＤＶＩ光延長ケーブル４と受信側付属回路とにより構成される送受信回路を一般的に示す。３７’は第３検出部である。３８’は切り替えスイッチを有する付属回路電力供給部である。３９’は切り替えスイッチを有するＨＰＤ信号送信部である。
【００１１】
第２検出部３５’は、ＨＰＤ信号源２２’から供給されるＨＰＤ信号を入力検出して付属回路電力供給部３８’を作動せしめる。付属回路電力供給部３８’が作動せしめられることにより、外部電源３から送信側付属回路および受信側付属回路を構成する電／光変換回路１５、光／電変換回路２５、バッファ回路１６、２６その他の回路を含む送信側付属回路および受信側付属回路に対する電源入力が実行され、これらの回路は駆動される。第２検出部３５’がＨＰＤ信号を入力検出したことは第３検出部３７’により検出される。ここで、第２検出部３５’によるＨＰＤ信号の入力検出は、第３検出部３７’を介してＨＰＤ信号送信部３９’を作動せしめる。ＨＰＤ信号送信部３９’が動作することにより、これを介してＨＰＤ信号源２２’の出力するＨＰＤ信号がホストＨに供給され、ビデオ伝送に向けたシーケンスがスタート１４させられ、送信側付属回路とＤＶＩ光延長ケーブル４と受信側付属回路とにより構成される送受信回路３６’を経由してモニタ信号がモニタＭに伝送される。
上述した通り、ＤＶＩ光延長ケーブル接続および外部電源入力確認装置は、外部電源３、ホストＨが具備する（ＤＤＣ＋５Ｖ）信号源１１、モニタＭが具備するＨＰＤ信号源２２’を含んで、第１検出部３１’、（ＤＤＣ＋５Ｖ）信号送信部３３’、ＨＰＤ信号送信部３９’、第２検出部３５’、付属回路電力供給部３８’、第３検出部３７’を主要な要素としており、これらの要素を図１の如くに構成して、ＤＶＩ光延長ケーブル接続および外部電源入力を確認している。
【００１２】
以上の実施例の動作を更に図２および図３のフローチャートを参照して説明する。
先の第１検出部３１’に相当する（ＤＤＣ＋５Ｖ）信号＊外部電力判定部３１は、ホストＨから出力される（ＤＤＣ＋５Ｖ）信号１２と外部電源３から出力される外部電力の両入力がなされたことに対応して、（ＤＤＣ＋５Ｖ）信号３３を出力する。（ＤＤＣ＋５Ｖ）信号判定部２３はこの出力信号３３が入力したｙｅｓにおいてＨＰＤ信号２２を出力し、ＨＰＤ信号判定部３４に送り込む。ＨＰＤ信号判定部３４は、ＨＰＤ信号入力のｙｅｓにおいてＨＰＤ信号を出力し、送信側付属回路および受信側付属回路の電／光変換回路１５、光／電変換回路２５、バッファ回路１６、２６の各回路に対する電源入力３８を実施して電源電力を入力し、ＨＰＤ信号３９を出力し、この出力はＨＰＤ信号判定部１３に送り込まれる。ＨＰＤ信号判定部１３は、ＨＰＤ信号が入力してｙｅｓにおいてビデオ伝送に向けたシーケンスをスタート１４させる。
【００１３】
以上の図２および図３のフローチャートにおいて、（ＤＤＣ＋５Ｖ）信号＊外部電力判定部３１は、ホストＨの（ＤＤＣ＋５Ｖ）信号源１１から出力される（ＤＤＣ＋５Ｖ）信号１２の入力電圧を検出すると共に外部電源３から出力される入力電圧を検出した場合にのみ、モニタＭに対して（ＤＤＣ＋５Ｖ）信号３３を伝送させて、（ＤＤＣ＋５Ｖ）信号判定部２３に入力せしめて（ＤＤＣ＋５Ｖ）信号源１１と外部電源３が動作状態にあることを確認することができる。そして、ＨＰＤ信号判定部３４は、伝送されたＨＰＤ信号２２の入力電圧を検出することにより、送信側付属回路および受信側付属回路の各回路に対する電源入力３８が外部電源３により実行され、送信側付属回路および受信側付属回路を構成する電／光変換回路１５、光／電変換回路２５、バッファ回路１６、２６その他の電気回路は駆動される。その後、モニタＭから送信されたＨＰＤ信号３９をホストＨのＨＰＤ信号判定部１３に供給し、ＨＰＤ信号３９がｙｅｓの場合、ビデオ伝送に向けたシーケンス１４がスタートする。
【００１４】
図１の実施例、図４および図５のフローチャートを参照してＤＶＩ光延長ケーブルの送信側付属回路に外部電源を接続した実施例を説明する。図４および図５において、図２および図３における部材と共通する部材には共通する参照符号を付与している。
ＤＶＩ光延長ケーブル４の送信側付属回路の（ＤＤＣ＋５Ｖ）信号＊外部電力判定部３１は、ホストＨから出力される（ＤＤＣ＋５Ｖ）信号１２を検出すると共にＤＶＩ光延長ケーブル４の送信側付属回路に接続した外部電源３から出力される入力電圧を検出した場合に、モニタＭに対して（ＤＤＣ＋５Ｖ）信号３３を伝送させ、これを（ＤＤＣ＋５Ｖ）信号判定部２３に入力せしめて（ＤＤＣ＋５Ｖ）信号源１１と外部電源３が動作状態にあることを確認することができる。受信側付属回路のＨＰＤ信号判定部３４０は、伝送されたＨＰＤ信号２２の入力電圧を検出することにより、受信側付属回路の各回路に対する電源入力３８０が送信側付属回路に接続した外部電源３により実行され、受信側付属回路を構成する光／電変換回路２５およびバッファ回路２６その他の回路は駆動される。更に、送信側付属回路のＨＰＤ信号判定部３４も、伝送されたＨＰＤ信号２２の入力電圧を検出し、これにより送信側付属回路の各回路に対する電源入力３８が送信側付属回路に接続した外部電源３により実行され、送信側付属回路を構成する電／光変換回路１５およびバッファ回路１６その他の回路は駆動される。その後、モニタＭから送信されたＨＰＤ信号３９をホストＨのＨＰＤ信号判定部１３に供給し、ＨＰＤ信号３９がｙｅｓの場合、ビデオ伝送に向けたシーケンス１４がスタートする。（ＤＤＣ＋５Ｖ）＊外部電力判定部、送信側および受信側ＨＰＤ信号判定部より成る判定部は送信側付属回路または受信側付属回路にあればよく、これは他の実施例においても同様である。
【００１５】
図１の実施例、図６および図７のフローチャートを参照してＤＶＩ光延長ケーブルの受信側付属回路に外部電源３０を接続した実施例を説明する。
ＤＶＩ光延長ケーブル４の受信側付属回路の（ＤＤＣ＋５Ｖ）信号＊外部電力判定部３１０は、ホストＨから出力される（ＤＤＣ＋５Ｖ）信号１２を検出すると共にＤＶＩ光延長ケーブル４の受信側付属回路に接続した外部電源３０から出力される入力電圧を検出した場合に、モニタＭに対して（ＤＤＣ＋５Ｖ）信号３３０を伝送させ、（ＤＤＣ＋５Ｖ）信号判定部２３に入力せしめて（ＤＤＣ＋５Ｖ）信号源１１と外部電源３０が動作状態にあることを認識することができる。受信側付属回路のＨＰＤ信号判定部３４０は、伝送されたＨＰＤ信号２２を入力検出することにより、受信側付属回路を構成する各回路に対する電源入力３８０が受信側付属回路に接続した外部電源３０により実行され、受信側付属回路を構成する光／電変換回路２５およびバッファ回路２６その他の回路は駆動される。更に、送信側付属回路のＨＰＤ信号判定部３４も、伝送されたＨＰＤ信号２２の入力電圧を検出し、これにより送信側付属回路を構成する各回路に対する電源入力３８が受信側付属回路に接続した外部電源３０により実行され、送信側付属回路を構成する電／光変換回路１５およびバッファ回路１６その他の回路は駆動される。その後、モニタＭから送信されたＨＰＤ信号３９をホストＨのＨＰＤ信号判定部１３に供給し、ＨＰＤ信号３９がｙｅｓの場合に、ビデオ伝送に向けたシーケンス１４がスタートする。（ＤＤＣ＋５Ｖ）＊外部電力判定部、送信側および受信側ＨＰＤ信号判定部より成る判定部は送信側付属回路または受信側付属回路にあればよい。
【００１６】
図１の実施例、図８および図９のフローチャートを参照してＤＶＩ光延長ケーブルの送信側付属回路および受信側付属回路の双方に外部電源を接続した実施例を説明する。
ＤＶＩ光延長ケーブル４の送信側付属回路の（ＤＤＣ＋５Ｖ）信号＊外部電力判定部３１はホストＨから出力される（ＤＤＣ＋５Ｖ）信号１２を検出すると共にＤＶＩ光延長ケーブル４の送信側付属回路に接続した外部電源３から出力される入力電圧を検出した場合に、ＤＶＩ光延長ケーブル４の受信側付属回路に対して（ＤＤＣ＋５Ｖ）信号３３を伝送させ、受信側付属回路に入力せしめて（ＤＤＣ＋５Ｖ）信号源１１と外部電源３とが動作状態にあることを確認することができる。そして、ＤＶＩ光延長ケーブル４の受信側付属回路の（ＤＤＣ＋５Ｖ）信号＊外部電力判定部３１０は、送信側付属回路の（ＤＤＣ＋５Ｖ）信号＊外部電力判定部３１から出力される（ＤＤＣ＋５Ｖ）信号３３を検出すると共にＤＶＩ光延長ケーブル４の受信側付属回路に接続した外部電源３０から出力される入力電圧を検出した場合に、モニタＭに対して（ＤＤＣ＋５Ｖ）信号３３０を伝送させ、（ＤＤＣ＋５Ｖ）信号判定部２３に入力せしめて、（ＤＤＣ＋５Ｖ）信号源１１、送信側付属回路に接続した外部電源３、受信側付属回路に接続した外部電源３０が動作状態にあることを確認することができる。
【００１７】
ここで、受信側付属回路のＨＰＤ信号判定部３４０は、伝送されたＨＰＤ信号２２を入力検出することにより、受信側付属回路を構成する各回路に対する電源入力３８０が受信側付属回路に接続した外部電源３０により実行され、受信側付属回路を構成する光／電変換回路２５およびバッファ回路２６その他の電気回路は駆動される。更に、送信側付属回路のＨＰＤ信号判定部３４も、伝送されたＨＰＤ信号２２の入力電圧を検出し、これにより送信側付属回路を構成する各回路に対する電源入力３８が送信側付属回路に接続した外部電源３により実行され、送信側付属回路を構成する電／光変換回路１５およびバッファ回路１６その他の電気回路は駆動される。その後、モニタＭから送信されたＨＰＤ信号３９をホストＨのＨＰＤ信号判定部１３に供給し、ＨＰＤ信号３９がｙｅｓの場合、ビデオ伝送に向けたシーケンス１４がスタートする。（ＤＤＣ＋５Ｖ）＊外部電力判定部、送信側および受信側ＨＰＤ信号判定部より成る判定部は送信側付属回路または受信側付属回路にあればよい。
【００１８】
【発明の効果】
以上の通りであって、この発明によれば、ホストＨとモニタＭの間がＤＶＩ光延長ケーブルを介して正常に接続されてない状態、ホストＨに電源が入力されていない状態においては、送信側付属回路および受信側付属回路を構成する電／光変換回路、光／電変換回路、バッファ回路その他の回路に対する電源供給を停止することにより無駄な電力消費を抑制することができる。
そして、送信側付属回路または受信側付属回路に対して外部電源電力の入力がなされていない状態においてＤＶＩ光延長ケーブル４をホストＨとモニタＭとの間に接続した場合、（ＤＤＣ＋５Ｖ）信号およびＨＰＤ信号はホストＨとモニタＭ間において切り離され、ホストＨはモニタＭの接続を確認することができなくなり、ビデオ伝送に向けたシーケンスを停止することができる。
【図面の簡単な説明】
【図１】  実施例を説明する図。
【図２】  実施例の動作を説明するフローチャート
【図３】  図２の続き。
【図４】  送信側付属回路に外部電源を接続した実施例の動作を説明するフローチャート。
【図５】  図４の続き。
【図６】  受信側付属回路に外部電源を接続した実施例の動作を説明するフローチャート。
【図７】  図６の続き。
【図８】  送信側付属回路および受信側付属回路の双方に外部電源を接続した実施例の動作を説明するフローチャート。
【図９】  図８の続き。
【図１０】  従来例を説明するフローチャート。
【図１１】  ＤＶＩ光延長ケーブルによるホストとモニタ間の物理的接続を示す図。
【図１２】  他の従来例を説明するフローチャート。
【符号の説明】
１１  （ＤＤＣ＋５Ｖ）信号源          ２２’ＨＰＤ信号源
３  外部電源                          ４  ＤＶＩ光延長ケーブル
３１’第１検出部                      ３３’（ＤＤＣ＋５Ｖ）信号送信部
３５’第２検出部                      ３６’送受信回路
３７’第３検出部                      ３８’付属回路電力供給部
３９’ＨＰＤ信号送信部                  Ｈ  ホスト
Ｍ  モニタ
【図１】
0003745279.tif 000002
【図２】
0003745279.tif 000003
【図３】
0003745279.tif 000004
【図４】
0003745279.tif 000005
【図５】
0003745279.tif 000006
【図６】
0003745279.tif 000007
【図７】
0003745279.tif 000008
【図８】
0003745279.tif 000009
【図９】
0003745279.tif 000010
【図１０】
0003745279.tif 000011
【図１１】
0003745279.tif 000012
【図１２】
0003745279.tif 000013